(57)【要約】  本発明の実施例は、信号伝送方法、ネットワーク機器、及び端末機器に関する。当該方法は、ネットワーク機器が、複数の波束の中の各波束に対応される波束固有情報を、生成するステップと、当該ネットワーク機器が、対応する当該波束固有情報を、当該各波束によって、同一のセル内の端末機器に送信するステップとを含み、ここで、当該複数の波束の中の第１の波束の第１の波束固有情報は、当該第１の波束の構成パラメータを指示するために用いられ、当該第１の波束の構成パラメータは、当該第１の波束のカバレッジ領域内の端末機器が当該第１の波束のシステム情報を確定するために用いられる。本発明の実施例の信号伝送方法、ネットワーク機器、及び端末機器によると、ネットワーク機器が、各波束内の端末機器毎に、当該波束固有情報を使用して当該波束の構成パラメータを付加することによって、当該波束のカバレッジ領域内の端末機器が、当該波束の構成パラメータに基づいて、当該端末機器が所在の波束のシステム情報を取得するようにして、システムの伝送効率を向上させることができる。
2019523588.tif 000002
【特許請求の範囲】
【請求項１】
信号伝送方法であって、
ネットワーク機器が、複数の波束の中の各波束に対応される波束固有情報を、生成するステップと、
前記ネットワーク機器が、対応する前記波束固有情報を、前記各波束によって、同一のセル内の端末機器に送信するステップとを含み、
ここで、前記複数の波束の中の第１の波束の第１の波束固有情報は、前記第１の波束の構成パラメータを指示するために用いられ、前記第１の波束の構成パラメータは、前記第１の波束のカバレッジ領域内の端末機器が前記第１の波束のシステム情報を確定するために用いられる、前記方法。
【請求項２】
前記第１の波束固有情報は、時間領域オフセットフィールドを含み、前記時間領域オフセットフィールドは、前記第１の波束によって送信される第１の同期信号とセルのフレームクロックとの時間領域オフセット量を指示するために用いられることを特徴とする
請求項１に記載の方法。
【請求項３】
前記第１の波束固有情報は、システム帯域幅指示フィールドを含み、前記システム帯域幅指示フィールドは、前記第１の波束によって送信される信号によって占用された総帯域幅、及び前記総帯域幅の中心周波数ポイントとセルの中心周波数ポイントとの周波数領域オフセット量を、指示するために用いられることを特徴とする
請求項１又は２に記載の方法。
【請求項４】
前記第１の波束固有情報は、制御チャネル時間周波数領域指示フィールドを含み、前記制御チャネル時間周波数領域指示フィールドは、前記第１の波束によって送信される第１の制御チャネルの時間周波数領域の大きさを指示するために用いられることを特徴とする
請求項１乃至３の中のいずれか１項に記載の方法。
【請求項５】
前記第１の制御チャネルは、共通サーチ空間とユーザ機器（ＵＥ）固有サーチ空間とを含み、前記共通サーチ空間は、前記第１の波束の共通情報を搬送するために用いられ、前記ＵＥ固有サーチ空間は、前記第１の波束のカバレッジ領域内の少なくとも一つの端末機器の中の各端末機器の固有情報を搬送するために用いられ、前記各端末機器は、前記第１の波束によって、前記ネットワーク機器と通信することを特徴とする
請求項４に記載の方法。
【請求項６】
前記ネットワーク機器が、前記少なくとも一つの端末機器の中の異なる端末機器に対して、異なるユーザ機器（ＵＥ）固有コードを割り当て、前記少なくとも一つの端末機器の中の第１の端末機器が、第１のＵＥ固有コードに対応されるステップと、
前記ネットワーク機器が、前記第１のＵＥ固有コードに基づいて、前記第１の端末機器に対応される前記第１の制御チャネルにおける第１の制御シグナリングに対して、スクランブルを行うステップとをさらに含むことを特徴とする
請求項４又は５に記載の方法。
【請求項７】
前記ネットワーク機器が、前記第１の制御チャネルの大きさと前記第１のＵＥ固有コードとに基づいて、前記第１の端末機器に対応される前記第１の制御チャネルにおけるＵＥ固有サーチ空間の位置及び大きさを確定するステップをさらに含むことを特徴とする
請求項６に記載の方法。
【請求項８】
信号伝送方法であって、
第１の端末機器が、ネットワーク機器によって送信された第１の波束固有情報を、受信するステップと、
前記第１の端末機器が、前記第１の波束固有情報に基づいて、前記第１の波束のシステム情報を確定するステップとを含み、
ここで、前記第１の波束固有情報は、複数の波束の中の第１の波束の構成パラメータを指示するために用いられ、前記ネットワーク機器は、対応する波束固有情報を、前記複数の波束の中の各波束によって、同一のセル内の端末機器に送信するために用いられ、前記第１の端末機器は、前記第１の波束のカバレッジ領域内に位置する、前記方法。
【請求項９】
前記第１の波束固有情報は、時間領域オフセットフィールドを含み、
前記第１の端末機器が、前記第１の波束固有情報に基づいて、前記第１の波束のシステム情報を確定するステップは、
前記第１の端末機器が、前記時間領域オフセットフィールドに基づいて、前記第１の波束によって受信した第１の同期信号とセルのフレームクロックとの時間領域オフセット量を、確定するステップを含むことを特徴とする
請求項８に記載の方法。
【請求項１０】
前記第１の波束固有情報は、システム帯域幅指示フィールドを含み、
前記第１の端末機器が、前記第１の波束固有情報に基づいて、前記第１の波束のシステム情報を確定するステップは、
前記第１の端末機器が、前記システム帯域幅指示フィールドに基づいて、前記第１の波束によって受信した信号によって占用された総帯域幅、及び前記総帯域幅の中心周波数ポイントとセルの中心周波数ポイントとの周波数領域オフセット量を、確定するステップを含むことを特徴とする
請求項８又は９に記載の方法。
【請求項１１】
前記第１の波束固有情報は、制御チャネル時間周波数領域指示フィールドを含み、
前記第１の端末機器が、前記第１の波束固有情報に基づいて、前記第１の波束のシステム情報を確定するステップは、
前記第１の端末機器が、前記制御チャネル時間周波数領域指示フィールドに基づいて、前記第１の波束によって受信した第１の制御チャネルの時間周波数領域の大きさを、確定するステップを含むことを特徴とする
請求項８乃至１０の中のいずれか１項に記載の方法。
【請求項１２】
前記第１の制御チャネルは、共通サーチ空間とユーザ機器（ＵＥ）固有サーチ空間とを含み、
前記方法は、
前記第１の端末機器が、前記共通サーチ空間に基づいて、前記第１の波束の共通情報を確定するステップと、
前記第１の端末機器が、前記ＵＥ固有サーチ空間に基づいて、前記第１の端末機器の固有情報を確定するステップとをさらに含むことを特徴とする
請求項１１に記載の方法。
【請求項１３】
前記第１の波束のカバレッジ領域内の異なる端末機器は、異なるユーザ機器（ＵＥ）固有コードを有し、前記第１の端末機器は、第１のＵＥ固有コードに対応され、
前記方法は、
前記第１の端末機器が、前記第１のＵＥ固有コードに基づいて、前記第１の端末機器に対応される前記第１の制御チャネルにおける第１の制御シグナリングに対して、デスクランブルを行うステップをさらに含むことを特徴とする
請求項１１又は１２に記載の方法。
【請求項１４】
前記第１の端末機器が、前記第１の制御チャネルの大きさと前記第１のＵＥ固有コードとに基づいて、前記第１の端末機器に対応される前記第１の制御チャネルにおけるＵＥ固有サーチ空間の位置及び大きさを確定するステップをさらに含むことを特徴とする
請求項１３に記載の方法。
【請求項１５】
ネットワーク機器であって、
複数の波束の中の各波束に対応される波束固有情報を生成するための生成ユニットと、
前記各波束によって、対応する前記波束固有情報を、同一のセル内の端末機器に送信するための送信ユニットとを含み、
ここで、前記複数の波束の中の第１の波束の第１の波束固有情報は、前記第１の波束の構成パラメータを指示するために用いられ、前記第１の波束の構成パラメータは、前記第１の波束のカバレッジ領域内の端末機器が前記第１の波束のシステム情報を確定するために用いられる、前記ネットワーク機器。
【請求項１６】
前記第１の波束固有情報は、時間領域オフセットフィールドを含み、前記時間領域オフセットフィールドは、前記第１の波束によって送信される第１の同期信号とセルのフレームクロックとの時間領域オフセット量を指示するために用いられることを特徴とする
請求項１５に記載のネットワーク機器。
【請求項１７】
前記第１の波束固有情報は、システム帯域幅指示フィールドを含み、前記システム帯域幅指示フィールドは、前記第１の波束によって送信される信号によって占用された総帯域幅、及び前記総帯域幅の中心周波数ポイントとセルの中心周波数ポイントとの周波数領域オフセット量、を指示するために用いられることを特徴とする
請求項１５又は１６に記載のネットワーク機器。
【請求項１８】
前記第１の波束固有情報は、制御チャネル時間周波数領域指示フィールドを含み、前記制御チャネル時間周波数領域指示フィールドは、前記第１の波束によって送信される第１の制御チャネルの時間周波数領域の大きさを指示するために用いられる、ことを特徴とする
請求項１５乃至１７の中のいずれか１項に記載のネットワーク機器。
【請求項１９】
前記第１の制御チャネルは、共通サーチ空間とユーザ機器（ＵＥ）固有サーチ空間とを含み、前記共通サーチ空間は、前記第１の波束の共通情報を搬送するために用いられ、前記ＵＥ固有サーチ空間は、前記第１の波束のカバレッジ領域内の少なくとも一つの端末機器の中の各端末機器の固有情報を搬送するために用いられ、前記各端末機器は、前記第１の波束によって、前記ネットワーク機器と通信することを特徴とする
請求項１８に記載のネットワーク機器。
【請求項２０】
前記少なくとも一つの端末機器の中の異なる端末機器に対して、異なるユーザ機器（ＵＥ）固有コードを割り当てるために用いられ、前記少なくとも一つの端末機器の中の第１の端末機器が、第１のＵＥ固有コードに対応される処理ユニットとをさらに含み、
前記処理ユニットは、さらに、前記第１のＵＥ固有コードに基づいて、前記第１の端末機器に対応される前記第１の制御チャネルにおける第１の制御シグナリングに対して、スクランブルを行うために用いられる、ことを特徴とする
請求項１８又は１９に記載のネットワーク機器。
【請求項２１】
前記処理ユニットは、さらに、
前記ネットワーク機器が、前記第１の制御チャネルの大きさと前記第１のＵＥ固有コードとに基づいて、前記第１の端末機器に対応される前記第１の制御チャネルにおけるＵＥ固有サーチ空間の位置及び大きさを確定するために用いられることを特徴とする
請求項２０に記載のネットワーク機器。
【請求項２２】
端末機器であって、
ネットワーク機器によって送信された第１の波束固有情報を、受信するための受信ユニットと、
前記第１の波束固有情報に基づいて、前記第１の波束のシステム情報を確定するための確定ユニットとを含み、
ここで、前記第１の波束固有情報は、複数の波束の中の第１の波束の構成パラメータを指示するために用いられ、前記ネットワーク機器は、対応する波束固有情報を、前記複数の波束の中の各波束によって、同一のセル内の端末機器に送信するために用いられ、前記端末機器は、前記第１の波束のカバレッジ領域内に位置する、前記端末機器。
【請求項２３】
前記第１の波束固有情報は、時間領域オフセットフィールドを含み、
前記確定ユニットは、具体的に、
前記時間領域オフセットフィールドに基づいて、前記第１の波束によって受信した第１の同期信号とセルのフレームクロックとの時間領域オフセット量を、確定するために用いられることを特徴とする
請求項２２に記載の端末機器。
【請求項２４】
前記第１の波束固有情報は、システム帯域幅指示フィールドを含み、
前記確定ユニットは、具体的に、
前記システム帯域幅指示フィールドに基づいて、前記第１の波束によって受信した信号によって占用された総帯域幅、及び前記総帯域幅の中心周波数ポイントとセルの中心周波数ポイントとの周波数領域オフセット量を、確定するために用いられることを特徴とする
請求項２２又は２３に記載の端末機器。
【請求項２５】
前記第１の波束固有情報は、制御チャネル時間周波数領域指示フィールドを含み、
前記確定ユニットは、具体的に、
前記制御チャネル時間周波数領域指示フィールドに基づいて、前記第１の波束によって受信した第１の制御チャネルの時間周波数領域の大きさを、確定するために用いられることを特徴とする
請求項２２乃至２４の中のいずれか１項に記載の端末機器。
【請求項２６】
前記第１の制御チャネルは、共通サーチ空間とユーザ機器（ＵＥ）固有サーチ空間とを含み、
前記確定ユニットは、具体的に、
前記共通サーチ空間に基づいて、前記第１の波束の共通情報を確定し、
前記ＵＥ固有サーチ空間に基づいて、前記端末機器の固有情報を確定するために用いられることを特徴とする
請求項２５に記載の端末機器。
【請求項２７】
前記第１の波束のカバレッジ領域内の異なる端末機器は、異なるユーザ機器（ＵＥ）固有コードを有し、前記端末機器は、第１のＵＥ固有コードに対応され、
前記確定ユニットは、具体的に、
前記第１のＵＥ固有コードに基づいて、前記端末機器に対応される前記第１の制御チャネルにおける第１の制御シグナリングに対して、デスクランブルを行うために用いられることを特徴とする
請求項２５又は２６に記載の端末機器。
【請求項２８】
前記確定ユニットは、具体的に、
前記第１の制御チャネルの大きさと前記第１のＵＥ固有コードとに基づいて、前記端末機器に対応される前記第１の制御チャネルにおけるＵＥ固有サーチ空間の位置及び大きさを、確定するために用いられることを特徴とする
請求項２７に記載の端末機器。
【発明の詳細な説明】
【技術分野】
【０００１】
本発明は、通信分野に関し、特に、信号伝送方法、ネットワーク機器、及び端末機器に関する。
【背景技術】
【０００２】
従来技術では、モノのインターネットのカバレッジ範囲を向上させるために、繰り返し発射（Ｒｅｐｅｔｉｔｉｏｎ）やパワーブースティング（Ｐｏｗｅｒ  ｂｏｏｓｔｉｎｇ）などの技術を採用したことがあるが、それらが役割を果たすことができる場面は限られている。これに対し、第５世代のモバイル通信技術（５Ｇ）によるモノのインターネットの配置場面がカバレッジに対する要件がますます高く求められており、また、５Ｇの周波数スペクトルがもっと高く、信号損失ももっと大きいので、５Ｇシステムにおいては、一つの可能な技術改善として、ビームフォーミングアクセス（Ｂｅａｍｆｏｒｍｅｄ  Ａｃｃｅｓｓ）技術を採用することである。
【０００３】
４Ｇシステムでも、ビームフォーミング（Ｂｅａｍｆｏｒｍｉｎｇ）技術を採用したが、ただ、ユーザ固有（ＵＥ−ｓｐｅｃｉｆｉｃ）のデータチャネルの伝送のみに用いられ、同期、ブロードキャスト、制御チャネルなどは、いずれも、セル内ブロードキャスト（Ｃｅｌｌ−ｓｐｅｃｉｆｉｃ）のチャネルと信号であり、ビームフォーミング（Ｂｅａｍｆｏｒｍｉｎｇ）モードの送信には適用されない。
【０００４】
しかしながら、一つのセル内で複数のビーム、又はビーム掃引（Ｂｅａｍ  Ｓｗｅｅｐｉｎｇ）によって共通チャネル及び信号を送信することにより、基地局のエネルギーを特定の方向に集中させて、シェーピング利得を得て、カバレッジを改善することができる。したがって、Ｂｅａｍｆｏｒｍｉｎｇ技術は、５Ｇの共通チャネルの設計のための魅力的な新たな技術となっている。しかしながら、Ｂｅａｍｆｏｒｍｅｄ  Ａｃｃｅｓｓ技術によって、セル内で、どのようにセルのシステム情報を共通チャネル及び制御チャネルを介して伝送するかは、まだ解決すべき緊急の問題である。
【発明の概要】
【０００５】
本発明は、システムカバレッジを拡大し、オーバーヘッドを削減し、システムの柔軟性を高め、伝送効率を向上させることができる、信号伝送方法、ネットワーク機器、及び端末機器を提供した。
【０００６】
第１の態様によると、信号伝送方法を提供し、当該方法は、ネットワーク機器が、複数の波束の中の各波束に対応される波束固有情報を、生成するステップと、当該ネットワーク機器が、対応する当該波束固有情報を、当該各波束によって、同一のセル内の端末機器に送信するステップとを含み、ここで、当該複数の波束の中の第１の波束の第１の波束固有情報は、当該第１の波束の構成パラメータを指示するために用いられ、当該第１の波束の構成パラメータは、当該第１の波束のカバレッジ領域内の端末機器が当該第１の波束のシステム情報を確定するために用いられる。
【０００７】
したがって、本願の信号伝送方法によると、ネットワーク機器は、ダウンリンク信号を複数の波束によって同一のセル内の複数の端末機器に送信し、また、各波束内の端末機器毎に、波束固有情報を使用して当該波束の構成パラメータを付加することによって、当該波束のカバレッジ領域内の端末機器が、当該波束の構成パラメータに基づいて、当該端末機器が所在の波束のシステム情報を取得するようにして、異なる波束が異なる構成を採用するようにサポートして、波束伝送の柔軟性を高めて、システムの伝送効率を向上させた。
【０００８】
第１の態様と結合して、第１の態様の一実現形態において、当該第１の波束固有情報は、時間領域オフセットフィールドを含み、当該時間領域オフセットフィールドは、当該第１の波束によって送信される第１の同期信号とセルのフレームクロックとの時間領域オフセット量を指示するために用いられる。
【０００９】
オプションとして、当該時間領域オフセットフィールドは、時間領域オフセット量を直接的に指示してもよい。
【００１０】
オプションとして、当該時間領域オフセットフィールドは、さらに、時間領域オフセット量を間接的に指示してもよく、すなわち、当該波束の番号または当該波束によって送信する同期信号が位置する時間領域位置の番号を利用して間接的に指示して、当該波束の番号または同期信号が位置する時間領域位置の番号と時間領域オフセット量との間の対応関係に基づいて、時間領域オフセット量を確定してもよい。
【００１１】
したがって、異なる波束に対して異なる位置を採用して同期信号を送信することによって、当該波束のカバレッジ領域内の端末機器が、各波束固有情報に含まれた時間領域オフセットフィールドに基づいて、当該波束によって送信される同期信号の時間領域位置を確定し、さらに、当該セルのフレームクロックを確定できるようにする。
【００１２】
第１の態様及び第１の態様の上記の実現形態と結合して、第１の態様のもう一実現形態において、当該第１の波束固有情報は、システム帯域幅指示フィールドを含み、当該システム帯域幅指示フィールドは、当該第１の波束によって送信される信号によって占用された総帯域幅、及び当該総帯域幅の中心周波数ポイントとセルの中心周波数ポイントとの周波数領域オフセット量を、指示するために用いられる。
【００１３】
オプションとして、ネットワーク機器のセル内には、複数の波束が含まれてもよく、各波束の帯域幅は、互いに異なってもよい。
【００１４】
したがって、波束内の機器の数量に基づいて、当該波束によって信号を送信する際に占用された総帯域幅を設定し、波束固有情報中のシステム帯域幅指示フィールドを使用して、当該波束の総帯域幅及び位置を指示することにより、一つの波束が一部の帯域幅を占用してデータや制御シグナリングのような信号を伝送するようにして、時間周波数リソースを節約することができる。また、隣接する波束が異なる時間周波数リソース伝送データ及び制御シグナリングを占用することができて、異なる波束同士の間のデータと制御シグナリングの干渉を低減するのに役立つ。
【００１５】
第１の態様及び第１の態様の上記の実現形態と結合して、第１の態様のもう一実現形態において、当該第１の波束固有情報は、制御チャネル時間周波数領域指示フィールドを含み、当該制御チャネル時間周波数領域指示フィールドは、当該第１の波束によって当該少なくとも一つの端末機器に送信する第１の制御チャネルの時間周波数領域の大きさを、指示するために用いられる。
【００１６】
オプションとして、異なる波束のカバレッジ範囲内の端末機器の数量が異なってもよいから、必要な制御チャネル容量も異なる大きさに設定してもよい。
【００１７】
したがって、波束の波束固有情報中の制御チャネル時間周波数領域指示フィールドを使用して、当該波束によって送信される制御チャネルの時間周波数領域の大きさを指示することにより、当該波束が端末機器の数量に基づいて制御チャネルの容量を柔軟に調整するようにサポートして、制御チャネルのオーバーヘッドを節約し、周波数スペクトルの利用率を向上させることができる。
【００１８】
第１の態様及び第１の態様の上記の実現形態と結合して、第１の態様のもう一実現形態において、当該第１の制御チャネルは、共通サーチ空間とＵＥ固有サーチ空間とを含み、当該共通サーチ空間は、当該第１の波束の共通情報を搬送するために用いられ、当該ＵＥ固有サーチ空間は、当該第１の波束のカバレッジ領域内の少なくとも一つの端末機器の中の各端末機器の固有情報を搬送するために用いられ、当該各端末機器は、当該第１の波束によって、当該ネットワーク機器と通信する。
【００１９】
したがって、各波束毎に、サーチ空間をそれぞれ分配し、異なる波束にカバレッジされた異なる端末機器毎に、サーチ空間を分配することにより、サーチ空間の大きさを縮小し、端末のブラインド検出の複雑さを低減することができる。
【００２０】
第１の態様及び第１の態様の上記の実現形態と結合して、第１の態様のもう一実現形態において、当該方法は、当該ネットワーク機器が、当該少なくとも一つの端末機器の中の異なる端末機器に対して、異なるＵＥ固有コードを割り当て、当該少なくとも一つの端末機器の中の第１の端末機器が、第１のＵＥ固有コードに対応されるステップと、当該ネットワーク機器が、当該第１のＵＥ固有コードに基づいて、当該第１の端末機器に対応される当該第１の制御チャネルにおける第１の制御シグナリングに対して、スクランブルを行うステップとをさらに含む。
【００２１】
したがって、各波束において、端末機器に対してそれぞれＵＥ固有コードを割り当てることができ、異なる波束同士の間でＵＥ固有コードを重複して使用ことができるため、必要とするコードの数量を大幅に縮小し、コードリソースを節約し、スクランブリングコードの長さも短くし、スクランブル及びデスクランブルの複雑さを低減することができる。
【００２２】
第１の態様及び第１の態様の上記の実現形態と結合して、第１の態様のもう一実現形態において、当該ネットワーク機器が、当該第１の制御チャネルの大きさと当該第１のＵＥ固有コードとに基づいて、当該第１の端末機器に対応される当該第１の制御チャネルにおけるＵＥ固有サーチ空間の位置及び大きさを確定するステップをさらに含む。
【００２３】
オプションとして、一定の大きさのリソース単位を設定することにより、ネットワーク機器は、当該第１の制御チャネルの大きさと当該第１のＵＥ固有コードとに基づいて、当該第１の端末機器に対応されるＵＥ固有サーチ空間の位置を確定し、さらに、当該第１の端末機器に対応されるＵＥ固有サーチ空間の総大きさを確定することができる。
【００２４】
オプションとして、一定の大きさのリソース単位を設定しなくて、当該第１の制御チャネルの大きさ及び当該第１のＵＥ固有コードによって、当該第１の端末機器に対応される当該第１の制御チャネルにおけるＵＥ固有サーチ空間の位置及び大きさを確定してもよい。
【００２５】
第２の態様によると、信号伝送方法を提供し、当該方法は、第１の端末機器が、ネットワーク機器によって送信された第１の波束固有情報を、受信するステップと、当該第１の端末機器が、当該第１の波束固有情報に基づいて、当該第１の波束のシステム情報を確定するステップとを含み、当該第１の波束固有情報は、複数の波束の中の第１の波束の構成パラメータを指示するために用いられ、当該ネットワーク機器は、対応する波束固有情報を、当該複数の波束の中の各波束によって、同一のセル内の端末機器に送信するために用いられ、当該第１の端末機器は、当該第１の波束のカバレッジ領域内に位置する。
【００２６】
したがって、本願の信号伝送方法によると、ネットワーク機器は、ダウンリンク信号を複数の波束によって同一のセル内の複数の端末機器に送信し、各波束内の端末機器は、ネットワーク機器によって送信された波束固有情報に付加された当該波束の構成パラメータを受信して、自身が所在の波束のシステム情報を取得することができて、異なる波束が異なる構成を採用するようにサポートして、波束伝送の柔軟性を高め、システムの伝送効率を向上させて、リソースの浪費を避ける。
【００２７】
第２の態様と結合して、第２の態様の一実現形態において、当該第１の波束固有情報は、時間領域オフセットフィールドを含み、当該第１の端末機器が、当該第１の波束固有情報に基づいて、当該第１の波束のシステム情報を確定するステップは、当該第１の端末機器が、当該時間領域オフセットフィールドに基づいて、当該第１の波束によって受信した第１の同期信号とセルのフレームクロックとの時間領域オフセット量を、確定するステップを含む。
【００２８】
第２の態様及び第２の態様の上記の実現形態と結合して、第２の態様のもう一実現形態において、当該第１の波束固有情報は、システム帯域幅指示フィールドを含み、当該第１の端末機器が、当該第１の波束固有情報に基づいて、当該第１の波束のシステム情報を確定するステップは、当該第１の端末機器が、当該システム帯域幅指示フィールドに基づいて、当該第１の波束によって受信した信号によって占用された総帯域幅、及び当該総帯域幅の中心周波数ポイントとセルの中心周波数ポイントとの周波数領域オフセット量を、確定するステップを含む。
【００２９】
第２の態様及び第２の態様の上記の実現形態と結合して、第２の態様のもう一実現形態において、当該第１の波束固有情報は、制御チャネル時間周波数領域指示フィールドを含み、当該第１の端末機器が、当該第１の波束固有情報に基づいて、当該第１の波束のシステム情報を確定するステップは、当該第１の端末機器が、当該制御チャネル時間周波数領域指示フィールドに基づいて、当該第１の波束によって受信した第１の制御チャネルの時間周波数領域の大きさを、確定するステップを含む。
【００３０】
第２の態様及び第２の態様の上記の実現形態と結合して、第２の態様のもう一実現形態において、当該第１の制御チャネルは、共通サーチ空間とＵＥ固有サーチ空間とを含み、当該方法は、当該第１の端末機器が、当該共通サーチ空間に基づいて、当該第１の波束の共通情報を確定するステップと、当該第１の端末機器が、当該ＵＥ固有サーチ空間に基づいて、当該第１の端末機器の固有情報を確定するステップとをさらに含む。
【００３１】
第２の態様及び第２の態様の上記の実現形態と結合して、第２の態様のもう一実現形態において、当該第１の波束のカバレッジ領域内の異なる端末機器は、異なるＵＥ固有コードを有し、当該第１の端末機器は、第１のＵＥ固有コードに対応され、当該方法は、当該第１の端末機器が、当該第１のＵＥ固有コードに基づいて、当該第１の端末機器に対応される当該第１の制御チャネルにおける第１の制御シグナリングに対して、デスクランブルを行うステップをさらに含む。
【００３２】
第２の態様及び第２の態様の上記の実現形態と結合して、第２の態様のもう一実現形態において、当該方法は、当該第１の端末機器が、当該第１の制御チャネルの大きさと当該第１のＵＥ固有コードとに基づいて、当該第１の端末機器に対応される当該第１の制御チャネルにおけるＵＥ固有サーチ空間の位置及び大きさを確定するステップをさらに含む。
【００３３】
第３の態様によると、上記の第１の態様または第１の態様の任意の実現形態中の方法を実行するための、ネットワーク機器を提供する。具体的に、当該ネットワーク機器は、上記の第１の態様または第１の態様の任意の実現形態中の方法実行するためのユニットを含む。
【００３４】
第４の態様によると、上記の第２の態様または第２の態様の任意の実現形態中の方法を実行するための、端末機器を提供する。具体的に、当該端末機器は、上記の第２の態様または第２の態様の任意の実現形態中の方法を実行するためのユニットを含む。
【００３５】
第５の態様によると、ネットワーク機器を提供し、当該ネットワーク機器は、メモリとプロセッサとを含み、当該メモリは、命令を記憶するために用いられ、当該プロセッサは、当該メモリに記憶された命令を実行するために用いられ、また、当該プロセッサによって当該メモリに記憶された命令が実行される際に、当該実行は、当該プロセッサが第１の態様または第１の態様の任意の実現形態中の方法を実行するようにする。
【００３６】
第６の態様によると、端末機器を提供し、当該端末機器は、メモリとプロセッサとを含み、当該メモリは、命令を記憶するために用いられ、当該プロセッサは、当該メモリに記憶された命令を実行するために用いられ、また、当該プロセッサによって当該メモリに記憶された命令が実行される際に、当該実行は、当該プロセッサが第２の態様または第２の態様の任意の実現形態中の方法を実行するようにする。
【００３７】
第７の態様によると、コンピュータ読み取り可能な媒体を提供し、当該コンピュータ読み取り可能な媒体は、コンピュータプログラムを記憶するために用いられ、当該コンピュータプログラムは、第１の態様または第１の態様の任意の実現形態中の方法を実行するための命令を含む。
【００３８】
第８の態様によると、コンピュータ読み取り可能な媒体を提供し、当該コンピュータ読み取り可能な媒体は、コンピュータプログラムを記憶するために用いられ、当該コンピュータプログラムは、第２の態様または第２の態様の任意の実現形態中の方法を実行するための命令を含む。
【図面の簡単な説明】
【００３９】
【図１】本発明の実施例に係る応用場面を示す模式図である。
【図２】本発明の実施例に係る信号伝送方法を示す例示的なフローチャートである。
【図３】本発明の実施例に係る伝送同期信号を示す模式図である。
【図４】本発明の実施例に係る波束帯域幅を示す模式図である。
【図５】本発明の実施例に係る異なる波束制御チャネルを示す模式図である。
【図６】本発明の実施例に係る端末機器に対して割り当てるＵＥ固有コードを示す模式図である。
【図７】本発明の実施例に係る異なる波束制御チャネル内のサーチ空間を示す模式図である。
【図８】本発明の実施例に係る信号伝送方法を示す例示的なフローチャートである。
【図９】本発明の実施例に係るネットワーク機器を示す例示的なブロック図である。
【図１０】本発明の実施例に係る端末機器を示す例示的なブロック図である。
【図１１】本発明もう一実施例に係るネットワーク機器を示す例示的なブロック図である。
【図１２】本発明もう一実施例に係る端末機器を示す例示的なブロック図である。
【発明を実施するための形態】
【００４０】
本発明の実施例の技術案をより明確に説明するために、上記において、本発明の実施例で使用する必要がある図面を簡単に説明し、明らかに、上記に説明する図面はただ本発明の幾つかの実施例に、当業者にとって、創造的な労力を払わない前提で、これらの図面に基づいてその他の図面が得ることができる。
【００４１】
以下、本発明の実施例の図面を結合して、本発明の実施例の技術案を明確的且つ全面的に説明する。当然ながら、説明されている実施例は、本発明の一部の実施例に過ぎず、全ての実施例ではない。当業者によって本発明の実施例に基づいて創造的な労力を払わずに得られる全てのその他の実施例は、本発明の範囲内に属する。
【００４２】
本発明の実施例の技術案は、例えば、グローバルモバイル通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、シンボル分配多重接続（ＣＤＭＡ：Ｃｏｄｅ  Ｄｉｖｉｓｉｏｎ  Ｍｕｌｔｉｐｌｅ  Ａｃｃｅｓｓ）システム、広帯域シンボル分配多重接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、ロング・ターム・エヴォリューション（ＬＴＥ：Ｌｏｎｇ  Ｔｅｒｍ  Ｅｖｏｌｕｔｉｏｎ）システム、汎用モバイル通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）のような現在の通信システムのような、様々な通信システムに適用されることができ、また、特に将来の５Ｇシステムなどのような通信システムに適用されることができることを、理解すべきである。
【００４３】
本発明の実施例において、端末機器は、ユーザ機器（ＵＥ、Ｕｓｅｒ  Ｅｑｕｉｐｍｅｎｔ）、アクセス端末、ユーザユニット、ユーザステーション、移動ステーション、移動局、遠隔局、遠隔端末、移動機器、ユーザ端末、端末、無線通信デバイス、ユーザエージェント又はユーザ装置を指すことが可能である。端末機器は、セルラー電話、無線電話、セッション確立プロトコル（ＳＩＰ：Ｓｅｓｓｉｏｎ  Ｉｎｉｔｉａｔｉｏｎ  Ｐｒｏｔｏｃｏｌ）電話、ワイヤレス・ローカル・ループ（ＷＬＬ：Ｗｉｒｅｌｅｓｓ  Ｌｏｃａｌ  Ｌｏｏｐ）ステーション、パーソナルデジタル処理（ＰＤＡ：Ｐｅｒｓｏｎａｌ  Ｄｉｇｉｔａｌ  Ａｓｓｉｓｔａｎｔ）、無線通信機能を有する携帯機器、計算デバイス又は無線変調復調器に接続するその他の機器、車載デバイス、ウェアラブルデバイス、及び将来の５Ｇネットワークにおける端末機器、又は、将来の進化型ＰＬＭＮネットワークにおける端末機器などであってもよい。
【００４４】
本発明の実施例において、ネットワーク機器は、端末機器と通信するための機器であってもよく、当該ネットワーク機器は、ＧＳＭシステム又はＣＤＭＡの基地局（ＢＴＳ：Ｂａｓｅ  Ｔｒａｎｓｃｅｉｖｅｒ  Ｓｔａｔｉｏｎ）であってもよく、ＷＣＤＭＡシステムにおける基地局（ＮＢ：ＮｏｄｅＢ）であってもよく、ＬＴＥシステムにおける進化型基地局（ｅＮＢ：Ｅｖｏｌｕｔｉｏｎａｌ  Ｎｏｄｅ  Ｂ又はｅＮｏｄｅＢ）であってもよく、或いは、クラウド無線アクセスネットワーク（ＣＲＡＮ：Ｃｌｏｕｄ  Ｒａｄｉｏ  Ａｃｃｅｓｓ  Ｎｅｔｗｏｒｋ）中のワイヤレスコントローラであってもよい。或いは、当該ネットワーク機器は、中継局、アクセスポイント、車載デバイス、ウェアラブルデバイス及び将来の５Ｇネットワークにおけるアクセスネットワークデバイス或いは将来進化型ＰＬＭＮネットワークにおけるネットワーク機器などであってもよい。
【００４５】
本発明の実施例において、図１は、本発明の実施例に係る応用場面を示す模式図である。具体的に、図１に示したように、ここでは、任意の一つのネットワーク機器の任意の一つのセルを例として説明する。当該セル内には、Ｋ個の端末機器が含まれており、当該Ｋ個の端末機器は、それぞれ、端末１〜端末Ｋであり、Ｋは、正の整数である。当該ネットワーク機器は、ダウンリンク信号を、Ｎ個の波束によって、当該同一のセル内のＫ個の端末機器に送信してもよく、当該Ｎ個の波束は、それぞれ、波束１〜波束Ｎであり、Ｎは、正の整数である。また、異なる波束にカバレッジされた端末機器は、異なっており、例えば、波束１は、端末１と端末２とをカバレッジし、波束２は、端末３をカバレッジし、波束３は、端末４〜端末６をカバレッジする。同様に、当該Ｋ個の端末機器は、該当する波束によって、ネットワーク機器と通信し、例えば、端末１と端末２とが、波束１のカバレッジ領域内に位置すると、端末１と端末２とは、波束１によって、ネットワーク機器と通信する。オプションとして、当該Ｎ個の波束は、一つ又は複数の波束が存在してもよく、当該一つ又は複数の波束カバレッジ範囲内には、端末機器が存在しない。
【００４６】
図２は、本発明の実施例に係る信号伝送方法１００を示す例示的なフローチャートである。当該方法１００は、ネットワーク機器によって実行され、例えば、図１中のネットワーク機器によって実行される。具体的に、当該方法１００は、Ｓ１１０とＳ１２０とを含む。
【００４７】
Ｓ１１０において、ネットワーク機器が、複数の波束の中の各波束に対応される波束固有情報を、生成し、ここで、当該複数の波束の中の第１の波束の第１の波束固有情報は、当該第１の波束の構成パラメータを指示するために用いられ、当該第１の波束の構成パラメータは、当該第１の波束カバレッジ範囲内の端末機器が、当該第１の波束のシステム情報を確定するために用いられ、
Ｓ１２０において、当該ネットワーク機器が、対応する当該波束固有情報を、当該各波束によって、同一のセル内の端末機器に送信する。
【００４８】
具体的に、ネットワーク機器は、ダウンリンク信号を複数の波束によって同一のセル内の複数の端末機器に送信し、当該複数の波束内の各波束毎に、各波束の波束固有情報を生成してもよい。例えば、ネットワーク機器は、任意の一つの波束である第１の波束に対して、当該第１の波束の第１の波束固有情報を生成し、ここで、当該第１の波束固有情報は、当該第１の波束の構成パラメータを指示するために用いられる。例えば、ネットワーク機器は、図１中の波束３に対して、当該波束の波束固有情報を生成し、ここで、当該波束固有情報は、当該波束３の構成パラメータを指示するために用いられる。
【００４９】
当該ネットワーク機器は、対応する当該波束固有情報を、当該各波束によって、同一のセル内の端末機器に送信する。例えば、ネットワーク機器は、当該第１の波束固有情報を、第１の波束によって、当該第１の波束内の端末機器に送信することによって、当該第１の波束のカバレッジ領域内の少なくとも一つの端末機器が、当該第１の波束固有情報を受信して、当該第１の波束固有情報中の第１の波束の構成パラメータに基づいて、当該端末機器が所在の第１の波束のシステム情報を確定するようにしてもよい。
【００５０】
したがって、本発明の実施例の信号伝送方法によると、ネットワーク機器は、ダウンリンク信号を複数の波束によって同一のセル内の複数の端末機器に送信し、また、各波束内の端末機器毎に、波束固有情報を使用して当該波束の構成パラメータを付加することによって、当該波束のカバレッジ領域内の端末機器が、当該波束の構成パラメータに基づいて、当該端末機器が所在の波束のシステム情報を取得するようにして、システムの伝送効率を向上させることができる。
【００５１】
ネットワーク機器によって異なる波束毎に生成された波束固有情報は、該当する波束の構成パラメータを指示するために用いられ、以下、ネットワーク機器によって生成された任意の波束である第１の波束の第１の波束固有情報を例として、当該第１の波束固有情報中に異なるフィールドが含まれていろんな異なる構成パラメータを指示することに対して、本発明の実施例を具体的に説明することを、理解すべきである。
【００５２】
オプションとして、本発明の一実施例において、当該第１の波束固有情報は、時間領域オフセットフィールドを含んでもよく、当該時間領域オフセットフィールドは、当該第１の波束によって送信される第１の同期信号と当該セルのフレームクロックとの時間領域オフセット量を指示するために用いられる。
【００５３】
伝統的な４Ｇシステムにおいて、フレームにおける同期信号の位置は、固定されており、例えば、同期信号は、ＬＴＥシステムの周波数分割複信（ＦＤＤ：Ｆｒｅｑｕｅｎｃｙ  Ｄｉｖｉｓｉｏｎ  Ｄｕｐｌｅｘ）モードと時分割複信（ＴＤＤ：Ｔｉｍｅ  Ｄｉｖｉｓｉｏｎ  Ｄｕｐｌｅｘｉｎｇ）モードとにおいて互いに異なるが、同一のモードにおいては、同期信号の時間領域位置は、固定されており、端末機器はブラインド検出を実行して同期信号の時間領域位置に基づいてフレームクロックを直接に推算することができることを、理解すべきである。
【００５４】
しかし、ネットワーク機器がダウンリンク信号を複数の波束によって端末機器に伝送する場合、異なる波束によって時間領域における異なる位置で同期信号を送信される可能性があり、したがって、異なる波束によって送信される当該同期信号は、当該セルのフレームクロックに対して異なる時間周波数オフセット量を有する可能性があって、伝統的なのブラインド検出の方式によってクロック同期を行うことができない。
【００５５】
したがって、本発明の実施例において、Ｎ個の波束の中の第１の波束に対して、当該第１の波束固有情報中の時間領域オフセットフィールドによって、当該第１の波束によって送信される第１の同期信号と当該セルのフレームクロックとの時間領域オフセット量を指示することにより、当該第１の波束のカバレッジ内の端末機器が、当該波束固有情報を受信した後に、当該波束固有情報中の時間領域オフセットフィールドに基づいて、当該第１の波束によって送信される第１の同期信号と当該セルのフレームクロックとの時間領域オフセット量を、確定するようにしてもよい。
【００５６】
具体的に、図３に示したように、一つのフレームを例として、Ｎ個の波束は、異なる時間領域位置によって、同期信号を送信してもよく、例えば、波束１によって送信される同期信号１は、時間領域位置１に位置し、波束２によって送信される同期信号２は、時間領域位置２に位置し、波束Ｎによって送信される同期信号Ｎは、時間領域位置Ｎに位置する。
【００５７】
すると、任意の波束である第１の波束は、当該第１の波束の第１の波束固有情報は、時間領域オフセットフィールドを含んでもよく、端末機器は、当該時間領域オフセットフィールドに基づいて、セルフレームクロックに対する、当該第１の波束によって送信される第１の同期信号の時間領域オフセット量を、確定してもよい。例えば、波束２は、当該波束２の波束固有情報は、時間領域オフセットフィールドを含んでもよく、当該波束固有情報を受信した、当該波束２のカバレッジ範囲内の端末機器は、当該時間領域オフセットフィールドに基づいて、セルフレームクロックに対する、当該波束２によって送信された同期信号２の時間領域位置２の時間領域オフセット量が
2019523588.tif 000003
であると確定してもよい。
【００５８】
オプションとして、異なる波束は、同一のフレーム内で同期信号を送信しなくてもよいが、いずれも、各波束の自身の波束固有情報中の時間領域オフセットフィールドを使用して、セルフレームクロックに対する、当該波束によって送信される同期信号の時間領域オフセット量を、指示してもよい。
【００５９】
オプションとして、当該時間領域オフセットフィールドは、時間領域オフセット量を直接的に指示してもよい。例えば、波束２の波束固有情報に含まれた時間領域オフセットフィールドは、時間領域オフセット量が
2019523588.tif 000004
であるとして、指示してもよい。
【００６０】
オプションとして、当該時間領域オフセットフィールドは、さらに、時間領域オフセット量を間接的に指示してもよく、すなわち、当該波束の番号または当該波束によって送信する同期信号が位置する時間領域位置の番号を利用して間接的に指示して、当該波束の番号または同期信号が位置する時間領域位置の番号と時間領域オフセット量との間の対応関係に基づいて、時間領域オフセット量を確定してもよい。例えば、Ｋ個の時間領域位置が提供されて、Ｎ個の波束によって、同期信号を送信されることができ、また、ｎ（ｎ＝１,…,Ｎ）番目の波束がｋ（ｋ＝１,…,Ｋ）番目の時間領域位置を使用して同期信号を送信すると、当該波束によって送信されるブロードキャストチャネル中にｋの値またはｎの値を付加してもよく、端末機器は、ｋの値またはｎの値に基づいて、ｎとｋと時間領域オフセット量との間のマッピング関係によって、当該第ｎ个波束の時間領域オフセット量を確定してもよい。
【００６１】
例えば、当該波束２の波束固有情報に含まれた時間領域オフセットフィールドが指示する当該波束のシリアル番号が２であると、端末機器は波束のシリアル番号と時間周波数時間領域オフセット量との対応関係に基づいて、当該波束２に対応される時間領域オフセット量が
2019523588.tif 000005
であるとして、確定してもよい。
【００６２】
また、例えば、当該波束２の波束固有情報に含まれた時間領域オフセットフィールドが、当該波束によって送信される同期信号位置が時間領域位置２であると、指示すると、端末機器は、当該時間領域位置と、波束のシリアル番号と、時間周波数時間領域オフセット量の対応関係に基づいて、当該時間領域位置２で波束２の同期信号が受信され、且つ、当該同期信号の時間領域オフセット量が
2019523588.tif 000006
であるとして、確定してもよい。
【００６３】
したがって、当該波束のカバレッジ領域内の端末機器は、各波束固有情報に含まれた時間領域オフセットフィールドによって、当該波束によって送信される同期信号の時間領域位置を確定し、さらに、当該セルのフレームクロックを確定することができる。
【００６４】
オプションとして、本発明の一実施例において、当該第１の波束固有情報は、システム帯域幅指示フィールドをさらに含んでもよく、当該システム帯域幅指示フィールドは、当該第１の波束によって送信される信号によって占用された総帯域幅、及び当該総帯域幅の中心周波数ポイントと当該セルの中心周波数ポイントとの周波数領域オフセット量を指示するために用いられる。
【００６５】
伝統的なシステムでは、セル全体のシステム帯域幅が、ブロードキャストチャネルのみで、ブロードキャストされ、また、セルの中心周波数ポイントが一意に固定されているため、セルサーチ過程によって中心周波数ポイントを直接に取得することを、理解すべきである。
【００６６】
しかし、本発明の実施例においては、異なる波束のカバレッジ領域内の端末機器の数が異なる可能性があり、これら端末機器によって占用される帯域幅も異なるように設定されるため、各波束は、自身の波束固有情報中のシステム帯域幅指示フィールドを使用して当該波束によって送信される信号によって占用された総帯域幅、及び当該総帯域幅の中心周波数ポイントと当該セルの中心周波数ポイントとの周波数領域オフセット量を、指示し、これに対し、当該波束のカバレッジ領域内の端末機器は、当該波束固有情報を受信した後、当該波束特殊情報中のシステム帯域幅指示フィールドに基づいて、当該波束によって送信された信号によって占用された総帯域幅、及び当該総帯域幅の中心周波数ポイントと当該セルの中心周波数ポイントとの周波数領域オフセット量を、確定する。
【００６７】
具体的に、図４に示したように、当該セルのシステム帯域幅がＷであり、波束１及び波束２の例を挙げて、波束１の波束固有情報は、システム帯域幅指示フィールドを含み、当該システム帯域幅指示フィールドは、当該波束１によって送信される信号によって占用された総帯域幅
2019523588.tif 000007
、及び当該総帯域幅の中心周波数ポイントと当該セルの中心周波数ポイントとの間の周波数領域オフセット量
2019523588.tif 000008
を指示し、例えば、当該総帯域幅が、データチャネル及び／又は制御チャネルによって占用された帯域幅と等しいであると、当該データチャネル及び／又は制御チャネルによって占用された帯域幅は、
2019523588.tif 000009
であり、当該データチャネル及び／又は制御チャネルの中心周波数ポイントと当該セルの中心周波数ポイントとの間の周波数領域オフセット量は、
2019523588.tif 000010
である。波束２の波束固有情報も、同様に、システム帯域幅指示フィールドを含み、ここで、当該システム帯域幅指示フィールドは、当該波束２送信の信号によって占用された総帯域幅
2019523588.tif 000011
、及び当該総帯域幅の中心周波数ポイントと当該セルの中心周波数ポイントとの間の周波数領域オフセット量
2019523588.tif 000012
を指示し、例えば、当該総帯域幅が、データチャネル及び／又は制御チャネルによって占用された帯域幅と等しいであると、当該データチャネル及び／又は制御チャネルによって占用された帯域幅は、
2019523588.tif 000013
であり、当該データチャネル及び／又は制御チャネルの中心周波数ポイントと当該セルの中心周波数ポイントとの間の周波数領域オフセット量は、
2019523588.tif 000014
である。
【００６８】
当該セルは、複数の波束を含み、各波束の帯域幅は、周波数領域位置上で重なり合ってもよいことを、理解すべきである。
【００６９】
したがって、波束内の機器の数量に基づいて、当該波束によって信号を送信する際に占用された総帯域幅を設定し、波束固有情報中のシステム帯域幅指示フィールドを使用して、当該波束の総帯域幅及び位置を指示することにより、一つの波束が一部の帯域幅を占用してデータや制御シグナリングのような信号を伝送するようにして、時間周波数リソースを節約することができる。また、隣接する波束が異なる時間周波数リソース伝送データ及び制御シグナリングを占用することができて、異なる波束同士の間のデータと制御シグナリングとの間の互いの干渉を低減するのに役立つ。
【００７０】
オプションとして、本発明の一実施例において、当該第１の波束固有情報は、制御チャネル時間周波数領域指示フィールドを含み、当該制御チャネル時間周波数領域指示フィールドは、当該第１の波束によって当該第１の波束のカバレッジ領域内少なくとも一つの端末機器に送信される制御シグナリングによって占用された第１の制御チャネルの時間周波数領域の大きさを、指示するために用いられる。
【００７１】
伝統的なの４Ｇシステムでは、当該セルの制御チャネルによって占用されるシンボルの数がブロードキャストされ、その周波数領域はセルの帯域幅と同一である。例えば、物理制御フォーマット指示チャネル（ＰＣＦＩＣＨ：Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）によって、当該セルの物理ダウンリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ）によって占用されたシンボル数をブロードキャストし、当該シンボルの数は、１、２又は３であってもよいが、セル全体は一つのＰＤＣＣＨのみあり、且つ、統一の大きさを有することを、理解すべきである。
【００７２】
本発明の実施例において、異なる波束のカバレッジ範囲内の端末機器の数量が異なってもよいから、必要な制御チャネル容量も異なる大きさに設定してもよい。例えば、図１中のＮ波束は、各波束のカバレッジ範囲内に少なくとも一つの端末機器が存在するため、これに対し、図５に示したように、端末機器の異なる数によって、各波束の制御チャネルを異なる大きさに設定してもよい。当該波束のカバレッジ領域内の端末機器は、当該波束固有情報中の制御チャネル時間周波数領域指示フィールドに基づいて、当該第１の波束によって当該第１の波束のカバレッジ領域内少なくとも一つの端末機器に送信される制御シグナリングによって占用された第１の制御チャネルの時間周波数領域の大きさを、確定してもよい。
【００７３】
オプションとして、波束の制御チャネルの大きさが異なることは、時間領域の大きさ及び／又は周波数領域の大きさが異なることを含み、本発明の実施例はこれらに対し限定しない。
【００７４】
異なる波束に含まれた制御チャネルの大きさが異なることに対し、当該波束の波束固有情報中には、制御チャネル時間周波数領域指示フィールドを含んでもよく、当該制御チャネル時間周波数領域指示フィールドは、当該第１の波束によって送信される第１の制御チャネルの時間周波数領域の大きさを指示してもよいことを、理解すべきである。
【００７５】
オプションとして、当該制御チャネルを固定された開始位置に設定してもよく、例えば、制御チャネルをフレームの開始位置を設定すると、時間周波数領域指示フィールドに基づいて、当該時間周波数領域の大きさを確定してもよい。
【００７６】
オプションとして、制御チャネルを固定されない位置に設定してもよく、この場合、時間周波数領域指示フィールドを使用して、当該制御チャネルの時間周波数領域の大きさ及び位置を指示してもよい。
【００７７】
したがって、波束の波束固有情報中の制御チャネル時間周波数領域指示フィールドを使用して、当該波束によって送信される制御チャネルの時間周波数領域の大きさを指示することにより、当該波束が端末機器の数量に基づいて制御チャネルの容量を柔軟に調整するようにサポートして、制御チャネルのオーバーヘッドを節約し、周波数スペクトルの利用率を向上させることができる。
【００７８】
オプションとして、一実施例において、ネットワーク機器は、各波束内の端末機器に対して、ＵＥ固有コードを割り当ててもよく、ここで、各波束内の異なる端末機器のＵＥ固有コードは、互いに異なるが、異なる波束内の異なる端末機器は、同一のＵＥ固有コードを有することができる。
【００７９】
伝統的な４Ｇシステムは、セル内の端末機器に対して、ＵＥ固有コードを、統一的に割り当て、当該セル内の異なる端末機器は、ＰＤＣＣＨを受信するためのセル無線ネットワーク一時識別子（Ｃ−ＲＮＴＩ：Ｃｅｌｌ  Ｒａｄｉｏ  Ｎｅｔｗｏｒｋ  Ｔｅｍｐｏｒａｒｙ  Ｉｄｅｎｔｉｆｉｅｒ）のような、互いに異なるＵＥ固有コードを有し、このようにして、ある端末機器に送信するダウンリンク制御シグナリングに対して、当該端末のＣ−ＲＮＴＩを採用してスクランブルを行い、当該端末機器は当該Ｃ−ＲＮＴＩを採用してＰＤＣＣＨに対してブラインド検出を実行することにより必要とする制御シグナリングを取得してもよいことを、理解すべきである。
【００８０】
しかし、複数の波束のＢｅａｍｆｏｒｍｅｄ  Ａｃｃｅｓｓシステムにおいては、依然として、セル特定Ｃ−ＲＮＴＩを採用して、端末機器に対してコーディングを行うと、大量のＣ−ＲＮＴＩが必要となるが、端末機器は一つの波束のみによって制御シグナリングを受信する。したがって、各波束において、端末機器に対してそれぞれＵＥ固有コードを割り当てることができ、異なる波束同士の間で、Ｃ−ＲＮＴＩのようなＵＥ固有コードを重複して使用ことができるため、必要となるＣ−ＲＮＴＩの数を大幅に縮小し、コードリソースを節約し、スクランブリングコードの長さも短くし、スクランブル及びデスクランブルの複雑さを低減することができる。
【００８１】
具体的に、例えば、図１に示されたネットワーク機器は、ダウンリンク信号を、Ｎ個の波束によって、Ｋ個の端末機器に送信し、任意の波束である第１の波束は、第１の波束内の異なる端末機器に対して、異なるＵＥ固有コードを割り当てることができ、図６に示したように、波束１内の端末１及び端末２に対して、それぞれ、異なるＵＥ固有コードであるＩＤ１及びＩＤ２を割り当て、波束２内の端末２に対して、ＵＥ固有コードであるＩＤ１を割り当て、波束３内の端末４、端末５及び端末６に対して、それぞれ、異なるＵＥ固有コードであるＩＤ１、ＩＤ２及びＩＤ３を割り当ててもよい。ここで、波束１及び波束２のような、異なる波束において、異なる端末機器である端末１及び端末３は、同一のＵＥ固有コードであるＩＤ１を有してもよい。各端末機器に対して割り当てたＵＥ固有コードに基づいて、当該端末機器に送信する制御チャネル中の制御シグナリングに対して、スクランブルを行うことにより、各端末機器が、当該波束によって送信された制御チャネルを受信すると、当該端末機器のＵＥ固有コードを使用して、当該波束の制御チャネル中の制御シグナリングに対して、ブラインド検出を行うようにする。
【００８２】
任意の波束である第１の波束の第１の制御チャネルは、当該制御チャネルは、共通サーチ空間とＵＥ固有サーチ空間とを含んでもよく、ここで、共通サーチ空間は、当該第１の波束の共通情報を搬送するために用いられ、当該第１の波束のカバレッジ領域内の端末は、いずれも、当該領域をサーチして共通情報を取得することができ、また、ＵＥ固有サーチ空間は、当該第１の波束のカバレッジ領域内の各端末機器の固有情報を搬送するために用いられ、各端末機器は、当該端末機器自身に属するサーチ領域をサーチして当該端末機器の固有情報を取得することができることを、理解すべきである。
【００８３】
伝統的な４Ｇシステムにおいて、一つのセルのＰＤＣＣＨも、共通サーチ空間とＵＥ固有サーチ空間とを含む。一つの端末機器は、共通サーチ空間をモニタリングする必要があるほか、当該端末機器に割り当てたＵＥ固有サーチ空間もモニタリングする必要があり、このようにして、ネットワーク機器によって当該端末機器に送信されるダウンリンクシグナリングに対して、ブラインド検出を行うことを、理解すべきである。
【００８４】
しかし、本発明の複数の波束のＢｅａｍｆｏｒｍｅｄ  ａｃｃｅｓｓシステムにおいては、制御チャネルのサーチ空間を、セルのみに対して統一的に分配しなくてもよい。各波束毎に、サーチ空間をそれぞれ分配し、異なる波束にカバレッジされた異なる端末機器毎に、サーチ空間を分配することにより、サーチ空間の大きさを縮小し、端末のブラインド検出の複雑さを低減することができる。
【００８５】
具体的に、図１に示されたＮ個の波束は、図７に示したように、各波束は、いずれも、共通サーチ空間とＵＥ固有サーチ空間とを含む。例えば、波束１の制御チャネルは、共通サーチ空間と、端末１及び端末２のＵＥ固有サーチ空間を含み、ここで、共通サーチ空間に対して、波束１のカバレッジ領域内の端末１及び端末２は、共通コードによって、共通サーチ空間の共通情報をサーチして取得することができる。これに対し、ユーザ固有サーチ空は、端末１のサーチ空間及び端末２のサーチ空間を含み、端末１は、ＵＥ固有コードＩＤ１によって、当該端末１のＵＥ固有サーチ空間をサーチして、当該端末１の固有情報を取得することができ、同様に、端末２は、ＵＥ固有コードＩＤ２によって、当該端末２のＵＥ固有サーチ空間をサーチして、当該端末２の固有情報を取得することができる。
【００８６】
伝統的な４Ｇシステムの一つのセルのＰＤＣＣＨにおいて、端末機器に対して分配するＵＥ固有サーチ空間の位置は、セルによりこの端末に対して割り当てたＣ−ＲＮＴＩ及びＰＤＣＣＨに含まれた制御チャネルユニット（ＣＣＥ：Ｃｏｎｔｒｏｌ  Ｃｈａｎｎｅｌ  Ｅｌｅｍｅｎｔ）の数量によって決定されることを、理解すべきである。
【００８７】
しかし、本発明の実施例において、異なる波束の制御チャネルの大きさが異なるため、任意の波束である第１の波束の第１の制御チャネルに対して、当該第１の制御チャネルの大きさ及び任意の端末機器である第１の端末機器のＵＥ固有コードに基づいて、当該第１の端末機器のＵＥ固有サーチ空間の位置を確定してもよいし、当該第１の制御チャネルの大きさ及び共通コードに基づいて、当該第１の制御チャネルにおける共通サーチ空間の位置を確定してもよい。
【００８８】
従来技術では、ＣＣＥの大きさが一定であるため、端末機器に対して割り当てたＵＥ固有サーチ空間の位置に基づいて、当該ＵＥ固有サーチ空間の大きさ及び位置を確定することができることを、理解すべきである。
【００８９】
オプションとして、本発明の実施例において、ＣＣＥと類似に、同一の大きさのリソース単位を設定して、ＵＥ固有コード及び制御チャネルの大きさに基づいて、ＵＥ固有サーチ空間の位置を確定してもよく、ＵＥ固有サーチ空間の大きさも確定してもよい。
【００９０】
オプションとして、本発明の実施例において、一定の大きさのリソース単位を設定しなくて、ＵＥ固有コード及び制御チャネルの大きさに基づいて、ＵＥ固有サーチ空間の位置及び大きさを確定してもよい。
【００９１】
したがって、本発明の実施例の信号伝送方法によると、ネットワーク機器ネットワーク機器は、ダウンリンク信号を複数の波束によって同一のセル内の複数の端末機器に送信し、また、各波束内の端末機器毎に、当該端末機器によって送信された波束固有情報に当該波束の構成パラメータを付加することによって、当該波束のカバレッジ領域内の端末機器が、当該波束の構成パラメータに基づいて、当該端末機器が所在の波束のシステム情報を取得するようにして、従来技術での波束が統一的のセル固有情報しか送信できないような状況を避けて、異なる波束によって異なる情報を送信できるようにして、各波束の構成パラメータを独立的に構成して、システムの柔軟性を高め、システムの伝送効率も向上させることができる。
【００９２】
上記は、ネットワーク機器側の角度から、本発明の実施例の信号伝送方法を説明したが、以下は、端末機器側の角度から、本発明の実施例の信号伝送方法を説明する。
【００９３】
図８は、本発明の実施例に係る信号伝送方法２００を示す例示的なフローチャートである。当該方法２００は、端末機器によって実行され、例えば、図１中のＫ個の端末機器の中の任意の一つによって実行される。図８に示したように、当該方法８００は、Ｓ２１０とＳ２２０とを含む。
【００９４】
Ｓ２１０において、第１の端末機器が、ネットワーク機器によって送信された第１の波束固有情報を、受信し、ここで、当該第１の波束固有情報は、複数の波束の中の第１の波束の構成パラメータを指示するために用いられ、当該ネットワーク機器は、対応する波束固有情報を、当該複数の波束の中の各波束によって、同一のセル内の端末機器に送信するために用いられ、当該第１の端末機器は、当該第１の波束のカバレッジ領域内に位置し、
Ｓ２２０において、当該第１の端末機器が、当該第１の波束固有情報に基づいて、当該第１の波束のシステム情報を確定する。
【００９５】
したがって、本発明の実施例の信号伝送方法によると、ネットワーク機器は、ダウンリンク信号を複数の波束によって同一のセル内の複数の端末機器に送信し、各波束内の端末機器は、ネットワーク機器によって送信された波束固有情報に付加された当該波束の構成パラメータを受信して、自身が所在の波束のシステム情報を取得することができて、異なる波束が異なる構成を採用するようにサポートして、波束伝送の柔軟性を高め、システムの伝送効率を向上させて、リソースの浪費を避ける。
【００９６】
オプションとして、当該第１の波束固有情報は、時間領域オフセットフィールドを含み、当該第１の端末機器は、当該第１の波束固有情報に基づいて、当該第１の波束のシステム情報を確定するステップは、当該第１の端末機器が、当該時間領域オフセットフィールドに基づいて、当該第１の波束によって受信した第１の同期信号とセルのフレームクロックとの時間領域オフセット量を、確定するステップを含む。
【００９７】
オプションとして、当該第１の波束固有情報は、システム帯域幅指示フィールドを含み、当該第１の端末機器が、当該第１の波束固有情報に基づいて、当該第１の波束のシステム情報を確定するステップは、当該第１の端末機器が、当該システム帯域幅指示フィールドに基づいて、当該第１の波束によって受信した信号によって占用された総帯域幅、及び当該総帯域幅の中心周波数ポイントとセルの中心周波数ポイントとの周波数領域オフセット量を、確定するステップを含む。
【００９８】
オプションとして、当該第１の波束固有情報は、制御チャネル時間周波数領域指示フィールドを含み、当該第１の端末機器が、当該第１の波束固有情報に基づいて、当該第１の波束のシステム情報を確定するステップは、当該第１の端末機器が、当該制御チャネル時間周波数領域指示フィールドに基づいて、当該第１の波束によって受信した第１の制御チャネルの時間周波数領域の大きさを、確定するステップを含む。
【００９９】
オプションとして、当該第１の制御チャネルは、共通サーチ空間とＵＥ固有サーチ空間とを含み、当該方法は、当該第１の端末機器が、当該共通サーチ空間に基づいて、当該第１の波束の共通情報を確定するステップと、当該第１の端末機器が、当該ＵＥ固有サーチ空間に基づいて、当該第１の端末機器の固有情報を確定するステップとをさらに含む。
【０１００】
オプションとして、当該第１の波束のカバレッジ領域内の異なる端末機器は、異なるＵＥ固有コードを有し、当該第１の端末機器は、第１のＵＥ固有コードに対応され、当該方法は、当該第１の端末機器が、当該第１のＵＥ固有コードに基づいて、当該第１の端末機器に対応される当該第１の制御チャネルにおける第１の制御シグナリングに対して、デスクランブルを行うステップをさらに含む。
【０１０１】
オプションとして、当該方法は、当該第１の端末機器が、当該第１の制御チャネルの大きさと当該第１のＵＥ固有コードとに基づいて、当該第１の端末機器に対応される当該第１の制御チャネルにおけるＵＥ固有サーチ空間の位置及び大きさを確定するステップをさらに含む。
【０１０２】
本発明の実施例において、ネットワーク機器側の角度から説明したネットワーク機器と端末機器との間のインタラクション及び関連特性や機能などは、端末機器側の角度からの説明に、対応され、簡素化のために、ここでは繰り返して説明しないことを、理解すべきである。
【０１０３】
したがって、本発明の実施例の信号伝送方法によると、ネットワーク機器は、ダウンリンク信号を複数の波束によって同一のセル内の複数の端末機器に送信し、各波束内の端末機器は、ネットワーク機器によって送信された波束固有情報に付加された当該波束の構成パラメータを受信し、また、当該波束の構成パラメータに基づいて、自身が所在の波束のシステム情報を取得することができることによって、従来技術での波束が統一的のセル固有情報しか送信できないような状況を避けて、異なる波束によって異なる情報を送信できるようにして、各波束の構成パラメータを独立的に構成して、システムの柔軟性を高め、システムの伝送効率も向上させることができる。
【０１０４】
本発明の各実施例において、上記の各過程の番号は実施の前後順序と意味せず、各過程の実施順序は、その機能と自身の組み込みロジックによって確定されるべきであり、本発明の実施例の実施過程を制限するものになるわけではないことを、理解すべきである。
【０１０５】
上記に、本発明の実施例に係る信号伝送方法を詳細に説明した。以下は、本発明の実施例に係るネットワーク機器及び端末機器を説明する。本発明の実施例のネットワーク機器及び端末機器は、上記の本発明の実施例の各方法を実行することができ、即ち、以下の各機器の具体的な作業過程は、上記の方法の実施例中の対応される過程を参考することができることを、理解すべきである。
【０１０６】
図９は、本発明の実施例に係るネットワーク機器３００を示す例示的なブロック図である。図９に示したように、当該ネットワーク機器３００は、生成ユニット３１０と送信ユニット３２０とを含む。
【０１０７】
生成ユニット３１０は、複数の波束の中の各波束に対応される波束固有情報を生成するために用いられ、ここで、当該複数の波束の中の第１の波束の第１の波束固有情報は、当該第１の波束の構成パラメータを指示するために用いられ、当該第１の波束の構成パラメータは、当該第１の波束のカバレッジ領域内の端末機器が当該第１の波束のシステム情報を確定するために用いられ、
送信ユニット３２０は、当該各波束によって、対応する当該波束固有情報を、同一のセル内の端末機器に送信するために用いられる。
【０１０８】
したがって、本発明の実施例のネットワーク機器によると、ネットワーク機器は、ダウンリンク信号を複数の波束によって同一のセル内の複数の端末機器に送信し、また、各波束内の端末機器毎に、波束固有情報を使用して当該波束の構成パラメータを付加することによって、当該波束のカバレッジ領域内の端末機器が、当該波束の構成パラメータに基づいて、当該端末機器が所在の波束のシステム情報を取得するようにして、異なる波束が異なる構成を採用するようにサポートして、波束伝送の柔軟性を高めて、システムの伝送効率を向上させた。
【０１０９】
オプションとして、当該第１の波束固有情報は、時間領域オフセットフィールドを含み、当該時間領域オフセットフィールドは、当該第１の波束によって送信される第１の同期信号とセルのフレームクロックとの時間領域オフセット量を指示するために用いられる。
【０１１０】
オプションとして、当該第１の波束固有情報は、システム帯域幅指示フィールドを含み、当該システム帯域幅指示フィールドは、当該第１の波束によって送信される信号によって占用された総帯域幅、及び当該総帯域幅の中心周波数ポイントとセルの中心周波数ポイントとの周波数領域オフセット量、を指示するために用いられる。
【０１１１】
オプションとして、当該第１の波束固有情報は、制御チャネル時間周波数領域指示フィールドを含み、当該制御チャネル時間周波数領域指示フィールドは、当該第１の波束によって当該少なくとも一つの端末機器に送信する第１の制御チャネルの時間周波数領域の大きさを、指示するために用いられる。
【０１１２】
オプションとして、当該第１の制御チャネルは、共通サーチ空間とＵＥ固有サーチ空間とを含み、当該共通サーチ空間は、当該第１の波束の共通情報を搬送するために用いられ、当該ＵＥ固有サーチ空間は、当該第１の波束のカバレッジ領域内の少なくとも一つの端末機器の中の各端末機器の固有情報を搬送するために用いられ、当該各端末機器は、当該第１の波束によって、当該ネットワーク機器と通信する。
【０１１３】
オプションとして、当該ネットワーク機器は、当該少なくとも一つの端末機器の中の異なる端末機器に対して、異なるＵＥ固有コードを割り当て、当該少なくとも一つの端末機器の中の第１の端末機器は、第１のＵＥ固有コードに対応されるための処理ユニット３３０をさらに含み、当該処理ユニット３３０は、さらに、当該第１のＵＥ固有コードに基づいて、当該第１の端末機器に対応される当該第１の制御チャネルにおける第１の制御シグナリングに対して、スクランブルを行うために用いられる。
【０１１４】
オプションとして、当該処理ユニット３３０は、さらに、当該ネットワーク機器が、当該第１の制御チャネルの大きさと当該第１のＵＥ固有コードとに基づいて、当該第１の端末機器に対応される当該第１の制御チャネルにおけるＵＥ固有サーチ空間の位置及び大きさを確定するために用いられる。
【０１１５】
本発明の実施例に係るネットワーク機器３００は、本発明の実施例中の方法１００の実行主体に対応され、また、ネットワーク機器３００における各モジュールの上記又は他の操作及び／又は機能は、それぞれ、図１〜図７の各方法の該当する過程を実現するものであってもよく、簡素化のために、ここでは繰り返して説明しないことを、理解すべきである。
【０１１６】
したがって、本発明の実施例のネットワーク機器によると、ネットワーク機器は、ダウンリンク信号を複数の波束によって同一のセル内の複数の端末機器に送信し、また、各波束内の端末機器毎に、当該端末機器によって送信された波束固有情報に当該波束の構成パラメータを付加することによって、当該波束のカバレッジ領域内の端末機器が、当該波束の構成パラメータに基づいて、当該端末機器が所在の波束のシステム情報を取得するようにして、従来技術での波束が統一的のセル固有情報しか送信できないような状況を避けて、異なる波束によって異なる情報を送信できるようにして、各波束の構成パラメータを独立的に構成して、システムの柔軟性を高め、システムの伝送効率も向上させることができる。
【０１１７】
図１０に示したように、本発明の実施例に係る端末機器４００は、受信ユニット４１０と確定ユニット４２０とを含む。
【０１１８】
受信ユニット４１０は、ネットワーク機器によって送信された第１の波束固有情報を、受信するために用いられ、ここで、当該第１の波束固有情報は、複数の波束の中の第１の波束の構成パラメータを指示するために用いられ、当該ネットワーク機器は、対応する波束固有情報を、当該複数の波束の中の各波束によって、同一のセル内の端末機器に送信するために用いられ、当該端末機器は、当該第１の波束のカバレッジ領域内に位置し、
確定ユニット４２０は、当該第１の波束固有情報に基づいて、当該第１の波束のシステム情報を確定するために用いられる。
【０１１９】
したがって、本発明の実施例の端末機器によると、受信したネットワーク機器によって送信された波束固有情報に付加された当該波束の構成パラメータに基づいて、自身が所在の波束のシステム情報を取得することができて、当該ネットワーク機器によってダウンリンク信号を複数の波束によって同一のセル内の複数の端末機器に送信されることができて、異なる波束が異なる構成を採用するようにサポートして、波束伝送の柔軟性を高め、システムの伝送効率を向上させて、リソースの浪費を避ける。
【０１２０】
オプションとして、当該第１の波束固有情報は、時間領域オフセットフィールドを含み、当該確定ユニット４２０は、具体的に、当該時間領域オフセットフィールドに基づいて、当該第１の波束によって受信した第１の同期信号とセルのフレームクロックとの時間領域オフセット量を、確定するために用いられる。
【０１２１】
オプションとして、当該第１の波束固有情報は、システム帯域幅指示フィールドを含み、当該確定ユニット４２０は、具体的に、当該システム帯域幅指示フィールドに基づいて、当該第１の波束によって受信した信号によって占用された総帯域幅、及び当該総帯域幅の中心周波数ポイントとセルの中心周波数ポイントとの周波数領域オフセット量を、確定するために用いられる。
【０１２２】
オプションとして、当該第１の波束固有情報は、制御チャネル時間周波数領域指示フィールドを含み、当該確定ユニット４２０は、具体的に、当該制御チャネル時間周波数領域指示フィールドに基づいて、当該第１の波束によって受信した第１の制御チャネルの時間周波数領域の大きさを、確定するために用いられる。
【０１２３】
オプションとして、当該第１の制御チャネルは、共通サーチ空間とＵＥ固有サーチ空間とを含み、当該確定ユニット４２０は、具体的に、当該共通サーチ空間に基づいて、当該第１の波束の共通情報を確定するステップと、当該ＵＥ固有サーチ空間に基づいて、当該端末機器の固有情報を確定するために用いられる。
【０１２４】
オプションとして、当該第１の波束のカバレッジ領域内の異なる端末機器は、異なるＵＥ固有コードを有し、当該端末機器は、第１のＵＥ固有コードに対応され、当該確定ユニット４２０は、具体的に、当該第１のＵＥ固有コードに基づいて、当該端末機器に対応される当該第１の制御チャネルにおける第１の制御シグナリングに対して、デスクランブルを行うために用いられる。
【０１２５】
オプションとして、当該確定ユニット４２０は、具体的に、当該第１の制御チャネルの大きさと当該第１のＵＥ固有コードとに基づいて、当該端末機器に対応される当該第１の制御チャネルにおけるＵＥ固有サーチ空間の位置及び大きさを、確定するために用いられる。
【０１２６】
本発明の実施例に係る端末機器４００は、本発明の実施例の方法２００の実行主体に対応され、また、端末機器４００における各モジュールの上記又は他の操作及び／又は機能は、それぞれ、図８の各方法の該当する過程を実現するものであってもよく、簡素化のために、ここでは繰り返して説明しないことを、理解すべきである。
【０１２７】
したがって、本発明の実施例の端末機器によると、ネットワーク機器によって送信された波束固有情報を受信し、ここで、当該ネットワーク機器によってダウンリンク信号を複数の波束によって同一のセル内の複数の端末機器に送信されることができて、当該端末機器は、当該波束固有情報に付加された当該波束の構成パラメータに基づいて所在の波束のシステム情報を取得することができることによって、従来技術での波束が統一的のセル固有情報しか送信できないような状況を避けて、異なる波束によって異なる情報を送信できるようにして、各波束の構成パラメータを独立的に構成して、システムの柔軟性を高め、システムの伝送効率も向上させることができる。
【０１２８】
図１１は、本発明の実施例に係るネットワーク機器５００を示す例示的なブロック図である、図１１に示したように、当該ネットワーク機器５００は、プロセッサ５１０とトランシーバ５２０とを含み、プロセッサ５１０とトランシーバ５２０とは互いに接続され、オプションとして、当該ネットワーク機器５００は、メモリ５３０をさらに含み、メモリ５３０はプロセッサ５１０に接続され、さらに、オプションとして、当該ネットワーク機器５００は、バスシステム５４０を含む。ここで、プロセッサ５１０とメモリ５３０とトランシーバ５２０とは、バスシステム５４０によって接続され、当該メモリ５３０は、命令を記憶するために用いられ、当該プロセッサ５１０は、当該メモリ５３０に記憶された命令を実行して、トランシーバ５２０が情報または信号を送信するように制御し、
当該プロセッサ５１０は、複数の波束の中の各波束に対応される波束固有情報を生成するために用いられ、ここで、当該複数の波束の中の第１の波束の第１の波束固有情報は、当該第１の波束の構成パラメータを指示するために用いられ、当該第１の波束の構成パラメータは、当該第１の波束のカバレッジ領域内の端末機器が当該第１の波束のシステム情報を確定するために用いられ、
当該トランシーバ５２０は、当該各波束によって、対応する当該波束固有情報を、同一のセル内の端末機器に送信する。
【０１２９】
したがって、本発明の実施例のネットワーク機器によると、ネットワーク機器は、ダウンリンク信号を複数の波束によって同一のセル内の複数の端末機器に送信し、また、各波束内の端末機器毎に、波束固有情報を使用して当該波束の構成パラメータを付加することによって、当該波束のカバレッジ領域内の端末機器が、当該波束の構成パラメータに基づいて、当該端末機器が所在の波束のシステム情報を取得するようにして、異なる波束が異なる構成を採用するようにサポートして、波束伝送の柔軟性を高めて、システムの伝送効率を向上させた。
【０１３０】
オプションとして、当該第１の波束固有情報は、時間領域オフセットフィールドを含み、当該時間領域オフセットフィールドは、当該第１の波束によって送信される第１の同期信号とセルのフレームクロックとの時間領域オフセット量を指示するために用いられる。
【０１３１】
オプションとして、当該第１の波束固有情報は、システム帯域幅指示フィールドを含み、当該システム帯域幅指示フィールドは、当該第１の波束によって送信される信号によって占用された総帯域幅、及び当該総帯域幅の中心周波数ポイントとセルの中心周波数ポイントとの周波数領域オフセット量、を指示するために用いられる。
【０１３２】
オプションとして、当該第１の波束固有情報は、制御チャネル時間周波数領域指示フィールドを含み、当該制御チャネル時間周波数領域指示フィールドは、当該第１の波束によって当該少なくとも一つの端末機器に送信する第１の制御チャネルの時間周波数領域の大きさを、指示するために用いられる。
【０１３３】
オプションとして、当該第１の制御チャネルは、共通サーチ空間とＵＥ固有サーチ空間とを含み、当該共通サーチ空間は、当該第１の波束の共通情報を搬送するために用いられ、当該ＵＥ固有サーチ空間は、当該第１の波束のカバレッジ領域内の少なくとも一つの端末機器の中の各端末機器の固有情報を搬送するために用いられ、当該各端末機器は、当該第１の波束によって、当該ネットワーク機器と通信する。
【０１３４】
オプションとして、当該プロセッサ５１０は、当該少なくとも一つの端末機器の中の異なる端末機器に対して、異なるＵＥ固有コードを割り当て、当該少なくとも一つの端末機器の中の第１の端末機器は、第１のＵＥ固有コードに対応し、また、当該第１のＵＥ固有コードに基づいて、当該第１の端末機器に対応される当該第１の制御チャネルにおける第１の制御シグナリングに対して、スクランブルを行うために用いられる。
【０１３５】
オプションとして、当該プロセッサ５１０は、当該ネットワーク機器が、当該第１の制御チャネルの大きさと当該第１のＵＥ固有コードとに基づいて、当該第１の端末機器に対応される当該第１の制御チャネルにおけるＵＥ固有サーチ空間の位置及び大きさを確定するために用いられる。
【０１３６】
本発明の実施例に係るネットワーク機器５００は、本発明の実施例に係るネットワーク機器３００に対応されてもよく、また、本発明の実施例に係る方法１００の実行主体に対応されてもよいし、また、ネットワーク機器５００における各モジュールの上記又は他の操作及び／又は機能は、それぞれ、図１〜図７の各方法の該当する過程を実現するものであってもよく、簡素化のために、ここでは繰り返して説明しないことを、理解すべきである。
【０１３７】
したがって、本発明の実施例のネットワーク機器によると、ネットワーク機器は、ダウンリンク信号を複数の波束によって同一のセル内の複数の端末機器に送信し、また、各波束内の端末機器毎に、当該端末機器によって送信された波束固有情報に当該波束の構成パラメータを付加することによって、当該波束のカバレッジ領域内の端末機器が、当該波束の構成パラメータに基づいて、当該端末機器が所在の波束のシステム情報を取得するようにして、従来技術での波束が統一的のセル固有情報しか送信できないような状況を避けて、異なる波束によって異なる情報を送信できるようにして、各波束の構成パラメータを独立的に構成して、システムの柔軟性を高め、システムの伝送効率も向上させることができる。
【０１３８】
図１２は、本発明の実施例に係る端末機器６００を示す例示的なブロック図である、図１２に示したように、当該端末機器６００は、プロセッサ６１０とトランシーバ６２０とを含み、プロセッサ６１０とトランシーバ６２０とは互いに接続され、オプションとして、当該端末機器６００は、メモリ６３０をさらに含み、メモリ６３０はプロセッサ６１０に接続され、さらに、オプションとして、当該端末機器６００は、バスシステム６４０を含む。ここで、プロセッサ６１０とメモリ６３０とトランシーバ６２０とは、バスシステム６４０によって接続され、当該メモリ６３０は、命令を記憶するために用いられ、当該プロセッサ６１０は、当該メモリ６３０に記憶された命令を実行して、トランシーバ６２０が情報または信号を送信するように制御し、
当該トランシーバ６２０は、ネットワーク機器によって送信された第１の波束固有情報を、受信するために用いられ、ここで、当該第１の波束固有情報は、複数の波束の中の第１の波束の構成パラメータを指示するために用いられ、当該ネットワーク機器は、対応する波束固有情報を、当該複数の波束の中の各波束によって、同一のセル内の端末機器に送信するために用いられ、当該端末機器は、当該第１の波束のカバレッジ領域内に位置し、
当該プロセッサ６１０は、当該第１の波束固有情報に基づいて、当該第１の波束のシステム情報を確定するために用いられる。
【０１３９】
したがって、本発明の実施例の端末機器によると、受信したネットワーク機器によって送信された波束固有情報に付加された当該波束の構成パラメータに基づいて、自身が所在の波束のシステム情報を取得することができて、当該ネットワーク機器によってダウンリンク信号を複数の波束によって同一のセル内の複数の端末機器に送信されることができ、また、異なる波束が異なる構成を採用するようにサポートして、波束伝送の柔軟性を高め、システムの伝送効率を向上させて、リソースの浪費を避ける。
【０１４０】
オプションとして、当該第１の波束固有情報は、時間領域オフセットフィールドを含み、当該プロセッサ６１０は、当該時間領域オフセットフィールドに基づいて、当該第１の波束によって受信した第１の同期信号とセルのフレームクロックとの時間領域オフセット量を、確定するために用いられる。
【０１４１】
オプションとして、当該第１の波束固有情報は、システム帯域幅指示フィールドを含み、当該プロセッサ６１０は、当該システム帯域幅指示フィールドに基づいて、当該第１の波束によって受信した信号によって占用された総帯域幅、及び当該総帯域幅の中心周波数ポイントとセルの中心周波数ポイントとの周波数領域オフセット量を、確定するために用いられる。
【０１４２】
オプションとして、当該第１の波束固有情報は、制御チャネル時間周波数領域指示フィールドを含み、当該プロセッサ６１０は、当該制御チャネル時間周波数領域指示フィールドに基づいて、当該第１の波束によって受信した第１の制御チャネルの時間周波数領域の大きさを、確定するために用いられる。
【０１４３】
オプションとして、当該第１の制御チャネルは、共通サーチ空間とＵＥ固有サーチ空間とを含み、当該プロセッサ６１０は、当該共通サーチ空間に基づいて、当該第１の波束の共通情報を確定し、また、当該ＵＥ固有サーチ空間に基づいて、当該端末機器の固有情報を確定するために用いられる。
【０１４４】
オプションとして、当該第１の波束のカバレッジ領域内の異なる端末機器は、異なるＵＥ固有コードを有し、当該端末機器は、第１のＵＥ固有コードに対応され、当該プロセッサ６１０は、当該第１のＵＥ固有コードに基づいて、当該端末機器に対応される当該第１の制御チャネルにおける第１の制御シグナリングに対して、デスクランブルを行うために用いられる。
【０１４５】
オプションとして、当該プロセッサ６１０は、当該第１の制御チャネルの大きさと当該第１のＵＥ固有コードとに基づいて、当該端末機器に対応される当該第１の制御チャネルにおけるＵＥ固有サーチ空間の位置及び大きさを、確定するために用いられる。
【０１４６】
本発明の実施例に係る端末機器６００は、本発明の実施例に係る端末機器４００に対応されてもよく、また、本発明の実施例に係る方法２００の実行主体に対応されてもよいし、また、端末機器６００における各モジュールの上記又は他の操作及び／又は機能は、それぞれ、図８の各方法の該当する過程を実現するものであってもよく、簡素化のために、ここでは繰り返して説明しないことを、理解すべきである。
【０１４７】
したがって、本発明の実施例の端末機器によると、ネットワーク機器によって送信された波束固有情報を受信し、ここで、当該ネットワーク機器によってダウンリンク信号を複数の波束によって同一のセル内の複数の端末機器に送信されることができて、当該端末機器は、当該波束固有情報に付加された当該波束の構成パラメータに基づいて所在の波束のシステム情報を取得することができることによって、従来技術での波束が統一的のセル固有情報しか送信できないような状況を避けて、異なる波束によって異なる情報を送信できるようにして、各波束の構成パラメータを独立的に構成して、システムの柔軟性を高め、システムの伝送効率も向上させることができる。
【０１４８】
注意すべきこととして、本発明の上記方法の実施例はプロセッサに適用されてもよく、又はプロセッサによって実現されてもよい。プロセッサは集積回路チップである可能性があり、信号処理能力を備えている。実現過程において、上記方法の実施例における各ステップは、プロセッサにおけるハードウェアの集積論理回路、又はソフトウェア形態の命令により完成されてもよい。上記のプロセッサは汎用プロセッサ、デジタル信号プロセッサ（ＤＳＰ：Ｄｉｇｉｔａｌ  Ｓｉｇｎａｌ  Ｐｒｏｃｅｓｓｏｒ）、専用集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、現場でプログラマブルゲートアレイ（ＦＰＧＡ：Ｆｉｅｌｄ  Ｐｒｏｇｒａｍｍａｂｌｅ  Ｇａｔｅ  Ａｒｒａｙ）、又は他のプログラマブルロジックデバイス、ディスクリートゲート又はトランジスタ論理デバイス、ディスクリートハードウェアコンポーネントであってもよい。本発明の実施例における開示された各方法、ステップ及び論理ブロック図を実現、又は実行することができる。汎用プロセッサはマイクロプロセッサであってもよく、又は該プロセッサはいずれかの通常のプロセッサなどであってもよい。本発明の実施例に開示された方法を結合するステップは、ハードウェア復号プロセッサによって実行して完成され、又は復号プロセッサにおけるハードウェアモジュール及びソフトウェアモジュールの組み合わせによって実行して完成されるように具現することができる。ソフトウェアモジュールは、ランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完成する。
【０１４９】
本発明の実施例におけるメモリは揮発性記憶装置又は不揮発性記憶装置であってもよく、又は揮発性記憶装置及び不揮発性記憶装置の両者を含むことができることが理解できる。ここで、不揮発性記憶装置は読み取り専用メモリ（ＲＯＭ：Ｒｅａｄ−Ｏｎｌｙ  Ｍｅｍｏｒｙ）、プログラマブル読み取り専用メモリ（ＰＲＯＭ：Ｐｒｏｇｒａｍｍａｂｌｅ  ＲＯＭ）、消去可能プログラマブル読み取り専用メモリ（ＥＰＲＯＭ：Ｅｒａｓａｂｌｅ  ＰＲＯＭ）、電気的消去可能プログラマブル読み取り専用メモリ（ＥＥＰＲＯＭ：Ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：Ｒａｎｄｏｍ  Ａｃｃｅｓｓ  Ｍｅｍｏｒｙ）であってもよい。制限的でなく例示的な説明により、多くの形態のＲＡＭは利用可能であり、例えばスタティックランダムアクセスメモリ（ＳＲＡＭ：Ｓｔａｔｉｃ  ＲＡＭ）、動的ランダムアクセスメモリ（ＤＲＡＭ：Ｄｙｎａｍｉｃ  ＲＡＭ）、同期動的ランダムアクセスメモリ（ＳＤＲＡＭ：Ｓｙｎｃｈｒｏｎｏｕｓ  ＤＲＡＭ）、ダブルデータレート同期動的ランダムアクセスメモリ（ＤＤＲＳＤＲＡＭ：Ｄｏｕｂｌｅ  Ｄａｔａ  Ｒａｔｅ  ＳＤＲＡＭ）、強化型同期動的ランダムアクセスメモリ（ＥＳＤＲＡＭ：Ｅｎｈａｎｃｅｄ  ＳＤＲＡＭ）、同期リンク動的ランダムアクセスメモリ（ＳＬＤＲＡＭ：Ｓｙｎｃｈｌｉｎｋ  ＤＲＡＭ）とダイレクトラムバスランダムアクセスメモリ（ＤＲ  ＲＡＭ：Ｄｉｒｅｃｔ  Ｒａｍｂｕｓ  ＲＡＭ）である。注意すべきこととして、本明細書に記載のシステムと方法のメモリは、これら、及びいずれかの他の適切なタイプのメモリを含むことを主旨しているが、これらに限定されない。
【０１５０】
なお、本願における用語である「及び／或いは」は、単なる関連対象の対応関係を説明しているだけであり、３つの関係が表されることができる。例えば、Ａ及び／又はＢは、Ａのみが存在する場合と、Ａ及びＢの両方とも存在する場合と、Ｂのみが存在する場合とを表すことができる。さらに、本願における文字“／”は、概して前後関連対象間の「又は」という関係を表している。
【０１５１】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１５２】
当業者は、説明の便利と簡潔上、上記に記載されているシステム、装置及びユニットの具体的な動作については、上記の方法実施例の対応されているフローを参照することができ、ここでそれ以上述べない。
【０１５３】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１５４】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、ここでの一部又は全部のユニットを選択して本実施例の技術案の目的を実現しても良い。
【０１５５】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１５６】
上記の集成されたユニットは、ソフトウェア機能モジュールの方式で実現し、しかも独立な製品として販売又は使用する時に、コンピュータ読み取り可能の媒体に記憶しても良い。これによって、本発明の実施例の技術案は、事実上、言い換えれば先行技術に貢献した部分として、ソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、モバイル記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１５７】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019523588.tif 000015
【図２】
2019523588.tif 000016
【図３】
2019523588.tif 000017
【図４】
2019523588.tif 000018
【図５】
2019523588.tif 000019
【図６】
2019523588.tif 000020
【図７】
2019523588.tif 000021
【図８】
2019523588.tif 000022
【図９】
2019523588.tif 000023
【図１０】
2019523588.tif 000024
【図１１】
2019523588.tif 000025
【図１２】
2019523588.tif 000026
【手続補正書】
【提出日】平成31年1月15日(2019.1.15)
【手続補正１】
【補正対象書類名】特許請求の範囲
【補正対象項目名】全文
【補正方法】変更
【補正の内容】
【特許請求の範囲】
【請求項１】
信号伝送方法であって、
ネットワーク機器が、複数の波束の中の各波束に対応される波束固有情報を、生成するステップと、
前記ネットワーク機器が、対応する前記波束固有情報を、前記各波束によって、同一のセル内の端末機器に送信するステップとを含み、
ここで、前記複数の波束の中の第１の波束の第１の波束固有情報は、前記第１の波束の構成パラメータを指示するために用いられ、前記第１の波束の構成パラメータは、前記第１の波束のカバレッジ領域内の端末機器が前記第１の波束のシステム情報を確定するために用いられる、前記方法。
【請求項２】
前記第１の波束固有情報は、時間領域オフセットフィールドを含み、前記時間領域オフセットフィールドは、前記第１の波束によって送信される第１の同期信号とセルのフレームクロックとの時間領域オフセット量を指示するために用いられることを特徴とする
請求項１に記載の方法。
【請求項３】
前記第１の波束固有情報は、システム帯域幅指示フィールドを含み、前記システム帯域幅指示フィールドは、前記第１の波束によって送信される信号によって占用された総帯域幅、及び前記総帯域幅の中心周波数ポイントとセルの中心周波数ポイントとの周波数領域オフセット量を、指示するために用いられることを特徴とする
請求項１又は２に記載の方法。
【請求項４】
前記第１の波束固有情報は、制御チャネル時間周波数領域指示フィールドを含み、前記制御チャネル時間周波数領域指示フィールドは、前記第１の波束によって送信される第１の制御チャネルの時間周波数領域の大きさを指示するために用いられることを特徴とする
請求項１乃至３の中のいずれか１項に記載の方法。
【請求項５】
前記第１の制御チャネルは、共通サーチ空間とユーザ機器（ＵＥ）固有サーチ空間とを含み、前記共通サーチ空間は、前記第１の波束の共通情報を搬送するために用いられ、前記ＵＥ固有サーチ空間は、前記第１の波束のカバレッジ領域内の少なくとも一つの端末機器の中の各端末機器の固有情報を搬送するために用いられ、前記各端末機器は、前記第１の波束によって、前記ネットワーク機器と通信することを特徴とする
請求項４に記載の方法。
【請求項６】
信号伝送方法であって、
第１の端末機器が、第１の波束固有情報を、受信するステップと、
前記第１の端末機器が、前記第１の波束固有情報に基づいて、前記第１の波束のシステム情報を確定するステップとを含み、
ここで、前記第１の波束固有情報は、複数の波束の中の第１の波束の構成パラメータを指示するために用いられ、複数の波束の中の各波束は、対応する波束固有情報を、同一のセル内の端末機器に送信するために用いられ、前記第１の端末機器は、前記第１の波束のカバレッジ領域内に位置する、前記方法。
【請求項７】
前記第１の波束固有情報は、時間領域オフセットフィールドを含み、
前記第１の端末機器が、前記第１の波束固有情報に基づいて、前記第１の波束のシステム情報を確定するステップは、
前記第１の端末機器が、前記第１の波束固有情報に基づいて、前記第１の波束によって受信した第１の同期信号とセルのフレームクロックとの時間領域オフセット量を、確定するステップを含むことを特徴とする
請求項６に記載の方法。
【請求項８】
前記第１の波束固有情報は、システム帯域幅指示フィールドを含み、
前記第１の端末機器が、前記第１の波束固有情報に基づいて、前記第１の波束のシステム情報を確定するステップは、
前記第１の端末機器が、前記第１の波束固有情報に基づいて、前記第１の波束によって受信した信号によって占用された総帯域幅、及び前記総帯域幅の中心周波数ポイントとセルの中心周波数ポイントとの周波数領域オフセット量を、確定するステップを含むことを特徴とする
請求項６又は７に記載の方法。
【請求項９】
前記第１の波束固有情報は、制御チャネル時間周波数領域指示フィールドを含み、
前記第１の端末機器が、前記第１の波束固有情報に基づいて、前記第１の波束のシステム情報を確定するステップは、
前記第１の端末機器が、前記制御チャネル時間周波数領域指示フィールドに基づいて、前記第１の波束によって受信した第１の制御チャネルの時間周波数領域の大きさを、確定するステップを含むことを特徴とする
請求項６乃至８の中のいずれか１項に記載の方法。
【請求項１０】
前記第１の制御チャネルは、共通サーチ空間とユーザ機器（ＵＥ）固有サーチ空間とを含み、
前記方法は、
前記第１の端末機器が、前記共通サーチ空間に基づいて、前記第１の波束の共通情報を確定するステップと、
前記第１の端末機器が、前記ＵＥ固有サーチ空間に基づいて、前記第１の端末機器の固有情報を確定するステップとをさらに含むことを特徴とする
請求項９に記載の方法。
【請求項１１】
前記第１の波束のカバレッジ領域内の異なる端末機器は、異なるユーザ機器（ＵＥ）固有コードを有し、前記第１の端末機器は、第１のＵＥ固有コードに対応され、
前記方法は、
前記第１の端末機器が、前記第１のＵＥ固有コードに基づいて、前記第１の端末機器に対応される前記第１の制御チャネルにおける第１の制御シグナリングに対して、デスクランブルを行うステップをさらに含むことを特徴とする
請求項９又は１０に記載の方法。
【請求項１２】
前記第１の端末機器が、前記第１の制御チャネルの大きさと前記第１のＵＥ固有コードとに基づいて、前記第１の端末機器に対応される前記第１の制御チャネルにおけるＵＥ固有サーチ空間の位置及び大きさを確定するステップをさらに含むことを特徴とする
請求項１１に記載の方法。
【請求項１３】
前記第１の波束固有情報は、制御チャネル時間周波数領域指示フィールドを含み、
前記第１の端末機器が、前記第１の波束固有情報に基づいて、前記第１の波束のシステム情報を確定するステップは、
前記第１の端末機器が、前記第１の波束固有情報に基づいて、前記第１の波束によって受信した第１の制御チャネルの時間周波数領域の大きさを、確定するステップを含むことを特徴とする、
請求項６乃至８の中のいずれか１項に記載の方法。
【請求項１４】
ネットワーク機器であって、
プロセッサと、
前記プロセッサによって実行される時に、前記プロセッサに請求項１乃至５の中のいずれか１項に記載の方法を実行させる命令が記憶されるメモリと、を含む、
前記ネットワーク機器。
【請求項１５】
端末機器であって、
プロセッサと、
前記プロセッサによって実行される時に、前記プロセッサに請求項６乃至１３の中のいずれか１項に記載の方法を実行させる命令が記憶されるメモリと、を含む、
前記端末機器。
【国際調査報告】
2019523588.tif 000027
2019523588.tif 000028
2019523588.tif 000029
2019523588.tif 000030